(57)【要約】【課題】  釣り人が釣り場で使用するルァーの改良に関し、ルァーに新しい機能を付加して魚をおびきよせて、釣りの成果を最大限に発揮の出来るルァーであること。【課題を解決するための手段】ルァー本体１を軟質吸水材でなる略魚形状にし、その本体１が袋状で内部に半固形体或いは、固形体の配合餌２を細目のネット３に巻装して密封体で収納し、これらが海中で溶解し除々にネット３の細目を通過し本体１の表面に設けた、いくつかの放散孔４を通過して海中にばら撒がれる撒餌となる配合餌２を装着したルァーにする。【選択図】図１
2005065668.tif 000002
【特許請求の範囲】
【請求項１】
ルァーの本体（１）を軟質材或いは軟質吸水材でなる略魚形状にし、その本体（１）が袋状で、内部に半固形体或いは、固形体の配合餌（２）を細目のネット（３）に巻装して密封体で収納し、これらが海中で溶解し、除々にネット（３）の細目を通過し、本体（１）の表面に設けた、いくつかの放散孔（４）を通過して海中にばら撒かれる撒餌（Ａ）を可能にし、これらが釣針（５）に係合する釣孔（６）を設けて、釣針（５）に吊る下げ係止可能にしたことを特徴とする配合餌装着ルァー。
【請求項２】
ルァーの本体（１’）が板状の硬質材で両サイドに設けた金属リング（１ａ）の片方にトリプルフック（７）を持つスプーン式ルァーにおいて、これらの本体（１’）の中央部に設けた開口部（１ｂ）に半固形体或いは、固形体の配合餌（２）を細目のネット（３）に巻装して密封し輪ゴム（８）などの固定手段にて収納し、これらが海中で除々に分解する撒餌（Ａ）にしたことを特徴とする配合餌装着ルァー。
【請求項３】
前記するルァーの本体（１’）を木製やプラスチック製の小魚形状の両サイドの金属リング（１ａ）の夫々にトリプルフック（７）とボディフック（７ａ）とリップ（７ａ）を持って構成するプラグ式ルァーにしたことを特徴とする請求項２記載の配合餌装着ルァー。
【請求項４】
前記するルァーの本体（１’）を鉛や黄銅材のの金属製の小魚形状の両サイドに設けた金属リング（１ａ）の片方にトリプルフック（７）を持つメタルジグ式ルァーにしたことを特徴とする請求項２記載の配合餌装着ルァー。
【請求項５】
前記する請求項２．３．４での金属リング（１ａ）に係合するトリプルフック（７）、ボディフック（７ａ）を除去して、金属リング（１ａ）に釣り糸を連結して、これらの体（１’）を釣り糸に近接して設け、集魚物として使用可能にしたことを特徴とする請求項２．３．４記載の配合餌装着ルァー。
【発明の詳細な説明】
【発明の詳細な説明】
【産業上の利用分野】
【０００１】この発明は、釣場でハリスに接続するルァーに関するもので詳しくは、水中で撒餌となる配合餌を固形状或いは半固形状にして、ルァーの本体に合体させたもので、これらの配合餌が水中でばら撒かれることでルァーの近辺に魚をおびきよせながらルァーで魚を釣ることが出来ることで釣果を高めることの出来る配合餌装着ルァーに関する。
【背景技術】
【０００２】此の種の従来の技術として、海などで釣をする場合に本物の餌を使わずに手軽に釣りをするため、ルァーと呼ばれる擬餌で魚を釣ることが古くから盛んに行われている。
これらのルァーは針がついたもので本体が金属製、木製、プラスチック製と数々の材質上の違いが存在する。【０００３】そしてこれらのルァーは水の中に放り込んで、釣り人がこれらのルァーを手で適当に釣竿をゆらしながらルァーに動きを与えている。
このように水中でルァーに動きを与えることで、本物の餌と勘違いした魚はルァーに食いつきルァーに具備する針に引っ掛けるということになる。主にイワナやブラックバスやスズキなどの魚類が飛びついてくる。【０００４】このように市販されるルァーは、多く使われているものとしてスプーンと呼ばれるもので、金属をプレス加工で打ち抜いて加工したボディから出来、両端には金属のリングが設けられ、片方のリングに釣糸が結ばれ、片方のリングにトリプルフックと呼ばれる釣り針がつけられて、ボディーの形やカーブによっては、釣り人が手で釣り竿をあおることで回転したり尻を振り回すなどの動きがあり、サケやマス類の魚が食いついてトリプルフックに引っ掛かるなどの釣果が得られる。【０００５】また、他のルァーでプラグと呼ばれる木製やプラスチックを使ってボティーを加工し、外形を小魚や小動物に仕立て、金属のリングには、トリプルフックとボディフックが具備したもので、更にリング状のリップという金具がそのルァーの口元に付けられてこのリップの仕組みで水中でボディが変則的な生き物のように動き回ることが出来る。【０００６】また他のルァーで、メタルジグと呼ばれるルァーは、鉛や黄銅などの金属加工でボディーが加工され、深い魚のポイントを狙う時に使われるが一旦沈んだこのルァーは釣り人の釣竿のシャクリ運動によって魚を透って釣るもので、カサゴやメバルなどを狙いとした釣りに用いられるのが一般的である。【０００７】そして、上記するルァーは全てボディーには、トリプルフックやボティーフックの釣針がついていることで、本餌を全く使わずにルアー１個で何回も何回も魚を釣ることが出来る。
【発明が解決しようとする課題】
【０００８】しかしながら上記する従来技術のルァーは、釣り人が釣り竿をあおったりシャクたりしながら絶えず過激に陸上で釣り竿を動かさない限り魚が感心をもたず、ただ無視されてしまうという課題がある。
【０００９】そして、これらのルァーは動きによってのみ効果が得られることでたまたま魚のタナでルァーが小休止するなどでタイミングがはずれることで魚をおびきよせておくことが出来ずじまいでせっかくの魚を逃がしてしまうなどの課題がある。
【００１０】そして、上記するルァーの取扱いはボディーにトリプルフックやボディフックが常時ふらふら吊り下がっていることで、収納、取り出しなどの取扱いで思わず釣り人の素手などにルァーについた釣り針が危害を与えるなどの課題がある。
【課題を解決するための手段】
【００１１】この発明はかかる課題を解決するために請求項１での発明は、図１で述べるように、ルァーの本体１を軟質吸水機でなる略魚形状にし、その本体１が袋状で、内部に半固形体或いは、固形体の配合餌２を細目のネット３に巻装して密封体で収納し、これらが海中で溶解し除々にネット３の細目を通過し、本体１の表面に設けたいくつかの放散孔４を通過して海中にばら撒かれる撒餌Ａが可能にし、これらが釣り針５に係合する釣孔６を設けて、釣り針５に吊り下げ可能にしている。
【００１２】次に請求項２での発明は、市販される様々な釣り針の具備するルァーの本体１’が硬質材で両サイドに設けた金属リング１ａの片方にトリプルフック７を持つスプーン式ルァーで、そのルァーの本体１’の中央部に設けた開口部１ｂに半固形体或いは、固形体の配合餌２を細目のネット３の巻装して密封し、輪ゴム８などの固定手段にて収納し、これらが海中で除々に分解する撒餌Ａにした構成である。
【００１３】次に請求項３での発明は、ルァーの本体１’を木製やプラスチック製の小魚形状の両サイドの金属リング１ａに夫々にトリプルフック７とボティーフック７ａとリップ７ｂを持って構成するプラグ式ルァーで、これらのルァーの本体１’の中央部に設けた開口部１ｂに細目のネット３に巻装密封した撒餌Ａを具備している。
【００１４】また次に、請求項４での発明は、ルァー本体１’を鉛や黄銅材の金属製の小魚形状の両サイドに設けた金属リング１ａの片方にトリプルフック７を持つメタルジグ式ルァーにした前記請求項２に準じた構成である。
【００１５】また次に請求項５での発明は、釣り針付での前記する請求項２．３．４でのルァー本体１’に具備する釣り針、即ちトリプルフック７やボディフック７ａ又はリップ７ｂを除外したもので、これらの本体１’に前記する撒餌Ａが合体された構成で、これらの配合餌装着ルァーは、ハリスに接続する従来での釣り針に近接して、これらのハリスに吊り下げることの出来るルァーの構成にしている。
【発明を実施するための最良の形態】
【００１６】以下に図示の実施例に基づいて本発明を更に詳細に説明する。即ち図１は本発明での第１実施例を示す一部断面での全体を示す斜視図である。即ち、釣人が様々な釣り場で魚釣りを楽しむのに釣り針に生きたカニやエビイソメ類、貝などの釣り餌を使わずに、ルァーと呼ばれる疑似餌で魚を釣ることが知られる。【００１７】本発明は、ルァー本体１を軟質吸水材でなる略魚形状にして、水中で魚をおびき寄せるためのおとりの餌になる魚に類似した様々な模擬の形での魚が考えられる。第１実施例での魚形状は「ハエナワ」でマグロを釣上げる本餌として使用されサバの類似形にしたルァー本体１を上げるがその限りでない。【００１８】そして、これらの本体１は内蔵物を詰込むために、袋状にしその袋状の内蔵物は、半固形体とか固形体に調合した配合餌（２）が使われて、それらは一本の棒状加工で、それらの配合餌（２）を細い糸でなる細目のネット３を使って巻き込んで密封体にした構成でなる。【００１９】また、前記する魚形状をイメージする本体１の両サイドの腹面には、放散孔４が開口しており、これらの放散孔４からは内蔵物として詰め込んだ配合餌２が水中で時間と共に除々に海中に溶け込み、細目のネット３から放出するバラバラになって崩れた細い配合餌２となって本体１に開口する放散孔４を通過して水中に散らばる撒餌Ａになる。【００２０】このように略魚形状でのルァーの本体１に釣り針５の通る釣孔６を設け、これらの釣孔６は魚形状の本体１に装着する配合餌２との全体の重さの重心のバランスがとれる位置に設けることで、海中であたかも生き物もどきの動きをする配合餌装着ルァーの構成である。【００２１】次に図３は本発明での第２実施例を示す斜視図である。
これらの発明での本体１’が硬質の金属やプラスチックでの板物でなるこれらの前後の端部に孔を開口して、夫々の孔に金属リング１ａを係止し、片方のこの金属リング１ａにはトリプルフック７を設けたスプーン式ルァーをベースにし、これらの本体１’の中央部に設けた両面に貫通する開口部１ｂに前記する細目のネット３に巻装した配合餌２を装着し、輪ゴム８などの固定手段にて収納する。【００２２】これらの本体１’と配合餌２の装着は、輪ゴム８での実施例を示すが、本体１’の一部をクリップ状のバンドなどの形態で装着してもよく、本体１’を釣り糸に係止した後にどんな動きでも配合餌２が不測に本体１’から分離のない固定手段が望まれる。【００２３】次に図４は本発明での第３実施例を示す斜視図で、ルァーの本体１’を木製やプラスチック製の小魚形状のもので、これらの本体１’の魚形状の前後及び下部に孔を開口して、これらの孔に金属リング１ａを通して、前方の金属リング１ａには、釣り糸が結ばれ後方の金属リング１ａには、トリプルフック７が連結され、下部の金属リング１ａには、ボディフック７ａが夫々連結されるが、更にボディフック７ａに近接して開口するには金属リング状のリップ７ｂが係合される。【００２４】上記する一般的なプラグ式ルァーをベースにし、これらの本体１’の中央部に設けた両面に貫通する開口部１ｂに前記する細目のネット３に巻装した配合餌２を小魚の内蔵もどきに装着し、クリップ８ａなどの固定手段にて収納する。【００２５】次に図５は本発明での第４実施例での斜視図でルァーの本体１’を鉛や黄銅材の金属製の小魚形状の前後に設けた金属リング１ａの後尾にトリプルフック７を設けてなる一般に知られるメタルジグ式ルァーをベースにし、これらの本体１’の中央部に設けた両面に貫通する開口部１ｂに前記する細目のネット３に巻装した配合餌２を小魚の内蔵もどきに装着し、輪ゴム８などの固定手段にて本体１’に固着した構成である。【００２６】次に図６は本発明での第５実施例での斜視図で、前記する第２第３及び第４実施例で夫々の本体１’に設けた金属リング１ａに係合するトリプルフック７、ボティフック７ａを除去して、前方に設けた金属リング１ａに釣り糸を連結して釣り竿のハリスにつながれた釣り針に近接して設けることの出来る構成でこれらの本体１’に配合餌２を装着した夫々の形態からなるルァーにし、集魚物としてルァーに釣り針を具備しない配合餌装着ルァーに構成する。
【発明の効果】
【００２７】本発明は上述の通り構成、作用するので次の優れた効果を奏する。いずれの本発明での実施例で述べるように小魚類の形からなる本体に配合餌を合体構成し、これらの配合餌は、半固形体或いは固形体にすることで海中でのみ除々にバラバラにくずれるように解体し、海中に撒餌として放散することで従来の小魚類でのルァーと違って海中の魚をおびきよせながらルァーに食いつかせることの出来る釣果のある配合餌装着ルァーを提供することが出来る。
【００２８】そして、これらの配合餌が絶えずルァーと共存しながら海中に留まることで全く無駄のない撒餌としての役割を果すことの出来る配合餌装着ルァーを提供することが出来る。
【００２９】更にまた、ルァーに合体する配合餌は絶えずメンテナンスの出来る本体が撒餌の収納容器としての役割での配合餌装着ルァーを提供出来る。。
【図面の簡単な説明】
【図１】本発明に係わる第１実施例での一部断面図での全体を示す斜視図である。
【図２】本発明に係わる第１実施例での海中での使用中の斜視図である。
【図３】本発明に係わる第２実施例での全体を示す斜視図である。
【図４】本発明に係る第３実施例での全体を示す斜視図である。
【図５】本発明に係る第４実施例での全体を示す斜視図である。
【図６】本発明に係る第５実施例での全体を示す斜視図である。
【図７】本発明に係る第４実施例での海中での使用中の斜視図である。
【符号の説明】
１．１’    本体
１ａ    金属リング
１ｂ    開口部
２      配合餌
３      ネット
４      放散孔
５      釣針
６      釣孔
７      トリプルフック
８      輪ゴム
Ａ      撒餌
【図１】
2005065668.tif 000003
【図２】
2005065668.tif 000004
【図３】
2005065668.tif 000005
【図４】
2005065668.tif 000006
【図５】
2005065668.tif 000007
【図６】
2005065668.tif 000008
【図７】
2005065668.tif 000009